(57)【特許請求の範囲】
【請求項１】
大容量負荷用の主ヒュージブルリンク嵌合部を、箱本体の略中央に設け、
大容量負荷用の複数のヒュージブルリンク嵌合部と、小容量負荷用の複数のヒューズ嵌合部とからなる複数のハウジング集合部を、前記主ヒュージブルリンク嵌合部に対し相互に分離して配設し、
前記ハウジング集合部は、前記箱本体の一側と他側の２箇所に配設すると共に、各ハウジング集合部に、それぞれ同数のヒュージブルリンク嵌合部とヒューズ嵌合部を設け、
前記２箇所のハウジング集合部は、前記主ヒュージブルリンク嵌合部に対して対称となるように配設し、
前記２箇所のハウジング集合部は、前記ヒュージブルリンク嵌合部とヒューズ嵌合部が前記主ヒュージブルリンク嵌合部に対して点対称となるように配設し、前記ヒュージブルリンク嵌合部とヒューズ嵌合部に装着されるバスバーを同一形状として共通化を図ったことを特徴とする電気接続箱。
【発明の詳細な説明】
【０００１】
【産業上の利用分野】
本発明は、主に自動車に搭載される電気接続箱に関する。
【０００２】
【従来の技術】
電気接続箱の従来例として、例えば図４に示すものが知られている（実開平４−６１８３７号公報参照）。
【０００３】
同図のように、箱本体７３の上側には、ヒュージブルリンク７５が装着される大容量負荷用の複数のヒュージブルリンク装着用ハウジング７７，８１，８３と、図示外のヒューズが装着される小容量負荷用の複数のヒューズ装着用ハウジング８５が設けられている。ヒュージブルリンク装着用ハウジング７７，８１，８３のうち充電系の主ヒュージブルリンク装着用ハウジング７７に装着されたヒュージブルリンク７５には、導通接続部７９を介して充電系の太物電線８７の丸型端子８９がボルト９１によって接続される。主ヒュージブルリンク装着用ハウジング７７以外の他の複数のヒュージブルリンク装着用ハウジング８１，８３は、箱本体７３の上面２箇所に並設されており、またヒューズ装着用ハウジング８５は、ヒュージブルリンク装着用ハウジング７７，８１，８３とは別に独立して設けられている。
【０００４】
【発明が解決しようとする課題】
ところが、かかる従来の電気接続箱７１にあっては、発熱性の高いヒュージブルリンク装着用ハウジング８１，８３の放熱状態を確保するために、２箇所のヒュージブルリンク装着用ハウジング８１，８３を離して設ける必要があり、また、ヒューズ装着用ハウジング８５は、ヒュージブルリンク装着用ハウジング７７，８１，８３とは別に独立して設けていたので、電気接続箱７１の大型化が否めなかった。
【０００５】
本発明は、上記事情を考慮し、放熱状態が良好で小型化が可能な電気接続箱の提供を目的とする。
【０００６】
請求項１記載の発明は、大容量負荷用の主ヒュージブルリンク嵌合部を、箱本体の略中央に設け、大容量負荷用の複数のヒュージブルリンク嵌合部と、小容量負荷用の複数のヒューズ嵌合部とからなる複数のハウジング集合部を、前記主ヒュージブルリンク嵌合部に対し相互に分離して配設し、前記ハウジング集合部は、前記箱本体の一側と他側の２箇所に配設すると共に、各ハウジング集合部に、それぞれ同数のヒュージブルリンク嵌合部とヒューズ嵌合部を設け、前記２箇所のハウジング集合部は、前記主ヒュージブルリンク嵌合部に対して対称となるように配設し、前記２箇所のハウジング集合部は、前記ヒュージブルリンク嵌合部とヒューズ嵌合部が前記主ヒュージブルリンク嵌合部に対して点対称となるように配設し、前記ヒュージブルリンク嵌合部とヒューズ嵌合部に装着されるバスバーを同一形状として共通化を図ったことを特徴としている。
【００１０】
【作用】
請求項１記載の発明では、比較的発熱性の高い複数のヒュージブルリンク嵌合部と、比較的発熱性の低い複数のヒューズ嵌合部との組合わせてハウジング集合部とし、複数のハウジング集合部を主ヒュージブルリンク嵌合部に対し分離して配設したので、各ハウジング集合部において、良好な放熱状態が確保されるとともに、ヒュージブルリンク嵌合部とヒューズ嵌合部との間の間隙を小さく抑えて箱本体のスペース効率を向上させることができ、放熱状態を良好に維持したまま、電気接続箱の小型化を図ることができる。
【００１１】
また、請求項１記載の発明では、２箇所のハウジング集合部を主ヒュージブルリンク嵌合部に対して対称となるように配設したので、箱本体の形状を主ヒュージブルリンク嵌合部に対して対称となるような簡単な形状とすることができ、箱本体の製造用金型の設計が容易となり、かつ箱本体の成形性が向上する。
【００１２】
更に、請求項１記載の発明では、２箇所のハウジング集合部におけるヒュージブルリンク嵌合部とヒューズ嵌合部を、主ヒュージブルリンク嵌合部に対して点対称となるように配設したので、ヒュージブルリンク嵌合部とヒューズ嵌合部に装着されるリヤホルダ、バスバー、スペーサ等の各部品について一側と他側で同一形状のものを使用して共通化を図ることができ、部品点数の削減による製造コストの低減を図ることができる。
【００１３】
【実施例】
以下、本発明の一実施例を図１〜図３に基づいて説明する。
【００１４】
図１は本実施例の電気接続箱１の平面図、図２は図１の電気接続箱１の分解斜視図、図３は図１の電気接続箱１の組立状態を示す分解斜視図である。
【００１５】
図１及び図２のように、箱本体３の上面３ａには、ヒュージブルリンク１５が嵌合される大容量負荷用の１つの主ヒュージブルリンク嵌合部１７及び複数のヒュージブルリンク嵌合部３１，３３と、ヒュージブルリンク１５より小型のヒューズ４０が嵌合される小容量負荷用の複数のヒューズ嵌合部３５，３７が設けられている。
【００１６】
箱本体３は略矩形に形成され、主ヒュージブルリンク嵌合部１７は、箱本体３の略中央に設けられている。主ヒュージブルリンク嵌合部１７を挟んで箱本体３の一側と他側の２箇所には、主ヒュージブルリンク嵌合部１７に対して対称となるようにハウジング集合部４１，４３が配設されている。すなわち、２つのハウジング集合部４１，４３は、主ヒュージブルリンク嵌合部１７の周りの箱本体３に、相互に分離して設けられている。両ハウジング集合部４１，４３は、共に４つのヒュージブルリンク嵌合部３１，３３と１つのヒューズ嵌合部３５，３７を有し、ヒューズ嵌合部３５，３７には、ヒューズが７つまで嵌合可能となっている。ヒューズ嵌合部３５，３７のうち、後述するバスバー４９，５１に設けられた端子６１，６３が嵌合される外側の端子嵌合部３５ａ，４７ａは箱本体３に一体形成され、後述するワイヤハーネス１１３に設けられた端子１１１が嵌合される内側の端子嵌合部３５ｂ，３７ｂは、箱本体３に下方から装着されるカセット部材５０の上部に形成されている。ハウジング集合部４１，４３では、ヒュージブルリンク嵌合部３１，３３とヒューズ嵌合部３５，３７とが、主ヒュージブルリンク嵌合部１７に対して点対称となるようにそれぞれ一列に配設され、ヒュージブルリンク嵌合部３１とヒューズ嵌合部３５、ヒュージブルリンク嵌合部３３とヒューズ嵌合部３７とは隣接している。主ヒュージブルリンク嵌合部１７、ヒュージブルリンク嵌合部３１，３３、及びヒューズ嵌合部３５，３７は、箱本体３の上面３ａ側に開口すると共に、箱本体３の下面３ｂ側に開口する箱本体内部３ｃに連通している。主ヒュージブルリンク嵌合部１７とヒュージブルリンク嵌合部３１，３３は、嵌合されるヒュージブルリンク１５が大容量であるため比較的発熱性が高く、ヒューズ嵌合部３５，３７は、嵌合されるヒューズ４０が小容量であるため比較的発熱性が低い。
【００１７】
箱本体内部３ｃには、２つのリヤホルダ４５，４７と２つの分岐接続用のバスバー４９，５１が、箱本体３の下面側３ｂから装着される。両リヤホルダ４５，４７には、ヒュージブルリンク嵌合部３１，３３に嵌合された後述する端子１０１と係合する可撓性爪部４５ａ，４７ａが、ヒュージブルリンク嵌合部３１，３３に対応してそれぞれ４箇所づつ突設されている。両バスバー４９，５１は、中央部４９ａ，５１ａと、この中央部４１ａ，５１ａの両側部からそれぞれ外側へ有段形成された延設部４９ｂ，５１ｂとが設けられ、上方視でガルウイング形状をしている。そして、中央部４９ａ，５１ａに１つの穴部５３，５５と、延設部４９ｂ，５１ｂの一方に４箇所の大容量接続部５７，５９と、延設部４９ｂ，５１ｂの他方に７箇所の小容量接続部６１，６３とが設けられている。穴部５３，５５は、バスバー４９，５１の略中央に形成され、穴部５３，５５を挟んで一方及び他方に、大容量接続部５７，５９及び小容量接続部６１，６３が、それぞれヒュージブルリンク嵌合部３１，３３及びヒューズ嵌合部３５，３７に対応して突設されている。ヒューズ嵌合部３５，３７には、箱本体３の側方からスペーサ６５，６７が挿入され、小容量接続部６１，６３はスペーサ６５，６７によって支持される。ここで、両ハウジング集合部４１，４３は主ヒュージブルリンク嵌合部１７に対し対称で同数のヒュージブルリンク嵌合部３１，３３とヒューズ嵌合部３５，３７を有し、かつヒュージブルリンク嵌合部３１，３３とヒューズ嵌合部３５，３７は主ヒュージブルリンク嵌合部１７に対して点対称となるように配設されているので、前記それぞれ２つずつ設けられたリヤホルダ４５，４７、バスバー４９，５１、及びスペーサ６５，６７は同じ形状に形成されている。バスバー４９，５１は、その中央部４９ａ，５１ａの背面側を対向させた状態、即ち凸側同士を向い合わせた状態で配置してあり、延設部４９ｂ，５１ｂの間の比較的幅の広い部分には、大容量接続部５７，５９に複数のヒュージブルリンク１５を介して接続される端子１０１が先端に取付けられたワイヤハーネス１０３と、小容量接続部６１，６３にヒューズ４０を介して接続される端子１１１が先端に取付けられたワイヤハーネス１１３とが配置されている。
【００１８】
また図３のように、電気接続箱１は、箱本体３の下面３ｂを覆う下部カバー５を備えている。箱本体３の中央両側部には、バスバー４９，５１の形状に合わせて下面３ｂから上面３ａに向かって延びる端子挿入溝７が設けられている。これらの端子挿入溝７は、ボルト１００の締め付け操作が外側からできるように側面が開口しており、一方の端子挿入溝７の内部に、電源供給用太物電線１０の端末に加締められた端子１２が挿入され、その先端部がボルト１００で箱本体３側、すなわち、端子挿入溝７内のナットに固定されている。主ヒュージブルリンク嵌合部１７は、前記端子挿入溝７内に連通し、主ヒュージブルリンク嵌合部１７に嵌合されたヒュージブルリンク１５の端子部１５ａは、前記端子挿入溝７に挿入された電源電線である大物電線１０の端子１２と、ボルト１００によって穴部５３を介してバスバー４９に共締めされている。また他方の端子挿入溝７内では、ヒュージブルリンク１５の他方の端子部１５ｂが、同様に穴部５５を介してバスバー５１に共締めされている。
【００１９】
下部カバー５の上縁には前記端子挿入溝７の開口を塞ぐ一対の蓋部２０，２２が立設されている。これら蓋部２０，２２は同じ構造のもので、側縁に突起２４を有している、これら突起２４は、前記端子挿入溝７の開口の両側縁に設けた挿入ガイドとしてのガイドレール２６に係合するものである。また、下部カバー５及び箱本体３には、両者を嵌合したとき相互にロックする係合枠２８と係合突起３０が設けられている。
【００２０】
電気接続箱１を組立てる場合、太物電線１０の端子１２を一方の端子挿入溝７に挿入すると共に、ヒュージブルリンク１５を主ヒュージブルリンク嵌合部１７に嵌合し、端子部１５ａと端子１２とをボルト１００でバスバー４９に共締め固定する。他方の端子部１５ｂもバスバー５１と共締めされる。その後、ガイジレール２６に下部カバー５の縁部２０，２２の突起２４をスライドさせながら挿入し、下部カバー５と箱本体３とを嵌合させることにより、端子挿入溝７内の端子１２及びボルト１００等を外部から絶縁保護する。
【００２１】
かかる電気接続箱１によれば、比較的発熱性の高い４つのヒュージブルリンク嵌合部３１，３３と、比較的発熱性の低い１つヒューズ嵌合部３５，３７とを組合わせたハウジング集合部４１，４３を２箇所に設け、２つのハウジング集合部４１，４３を主ヒュージブルリンク嵌合部１７の一側と他側に分離して配設したので、各ハウジング集合部４１，４３において、良好な放熱状態を確保することができる。また、両ハウジング集合部４１，４３において、ヒュージブルリンク嵌合部３５，３７を一列に配設すると共に、ヒュージブルリンク嵌合部３１とヒューズ嵌合部３５、ヒュージブルリンク嵌合部３３とヒューズ嵌合部３７とを隣接して設け、また、バスバー４９，５１をガルウイング形状とし、太物電線１０の取付けられる中央部４９ａ，５１ａを近接させて配置したので、放熱状態を良好に維持したまま箱本体３の大きさを小さく抑えてスペース効率を向上させることができると共に、延設部４９ｂ，５１ｂ間に形成される比較的広い空間により、ワイヤハーネス１０３，１１３のハウジング集合部４１，４３への嵌合作業も向上させることができる。
【００２２】
また、２箇所のハウジング集合部４１，４３を主ヒュージブルリンク嵌合部１７に対して対称となるように配設したので、箱本体３の形状を主ヒュージブルリンク嵌合部１７に対して対称となるような簡単な矩形形状とすることができ、箱本体３の製造用金型の設計が容易となり、かつ箱本体３の成形性が向上する。
【００２３】
さらに、２箇所のハウジング集合部４１，４３のヒュージブルリンク嵌合部３１，３３及びヒューズ嵌合部３５，３７を主ヒュージブルリンク嵌合部１７に対して点対称となるように配設したので、リヤホルダ４５，４７、バスバー４９，５１、スペーサ６５，６７等の各部品について、２つの部品を同一形状として共通化を図ることができ、部品点数の削減による製造コストの低減を図ることができる。
【００２４】
【発明の効果】
以上説明したように、請求項１記載の発明によれば、各ハウジング集合部において、良好な放熱状態が確保されるとともに、ヒュージブルリンク嵌合部とヒューズ嵌合部との間の間隙を小さく抑えてスペース効率を向上させることができ、放熱状態を良好に維持したまま、電気接続箱の小型化を図ることができる。
【００２５】
また、請求項１記載の発明によれば、箱本体の形状を主ヒュージブルリンク嵌合部に対して対称となるような簡単な形状とすることができるので、箱本体の製造用金型の設計が容易となり、かつ箱本体の成形性が向上する。
【００２６】
更に、請求項１記載の発明によれば、リヤホルダ、バスバー、スペーサ等の各部品の共通化が可能となるので、部品点数の削減による製造コストの低減を図ることができる。
【図面の簡単な説明】
【図１】本発明の一実施例の平面図である。
【図２】本発明の一実施例の分解斜視図である。
【図３】本発明の一実施例の組立状態を示す分解斜視図である。
【図４】従来例の斜視図である。
【符号の説明】
１  電気接続箱
３  箱本体
１７  主ヒュージブルリンク嵌合部
３１  ヒュージブルリンク嵌合部
３３  ヒュージブルリンク嵌合部
３５  ヒューズ嵌合部
３７  ヒューズ嵌合部
４１  ハウジング集合部
４３  ハウジング集合部
【図１】
0003594991.tif 000002
【図２】
0003594991.tif 000003
【図３】
0003594991.tif 000004
【図４】
0003594991.tif 000005